(57)【要約】【課題】面倒なモードの設定操作を行うことなく、二種類の動作モードを簡単に使い分けることができるデジタルカメラシステムを提供する。【解決手段】クレードル１３のＵＳＢコネクタ３０に対して、ＵＳＢコネクタ２５，２６をデジタルカメラ１１に設けてある。撮影レンズ１５を手前にしてデジタルカメラ１１をクレードル１３に載せると、ＵＳＢコネクタ２５がＵＳＢコネクタ３０に接続される。液晶ディスプレイ１８を手前にしてデジタルカメラ１１をクレードル１３に載せると、ＵＳＢコネクタ２６がＵＳＢコネクタ３０に接続される。ＵＳＢコネクタ２５，２６のいずれがＵＳＢコネクタ３０に接続されたかをデジタルカメラ１１のＣＰＵが検出し、撮影レンズ１５が手前の時にはＰＣカメラモード、液晶ディスプレイ１８が手前の時にはマスストレージモードに設定する。【選択図】        図１
2005229538.tif 000002
【特許請求の範囲】
【請求項１】
撮像素子により光学像を電気信号に変換し、着脱自在に内蔵した電子記憶媒体に画像データを記憶するデジタルカメラと、このデジタルカメラを載置して外部機器との接続を仲介するカメラスタンドとからなるデジタルカメラシステムにおいて、
前記カメラスタンドは、前記デジタルカメラとの電気的接続に用いられるスタンドコネクタを備え、前記デジタルカメラは、前記カメラスタンドに対してデジタルカメラを第１の姿勢で載せることによりスタンドコネクタに接続される第１カメラコネクタと、前記カメラスタンドに対してデジタルカメラを第１の姿勢とは逆向きとなる第２の姿勢で載せることによりスタンドコネクタに接続される第２カメラコネクタとを備えていることを特徴とするデジタルカメラシステム。
【請求項２】
前記デジタルカメラは、前記スタンドコネクタに第１カメラコネクタ，第２カメラコネクタのいずれが接続されたのかを検出し、前記スタンドコネクタに第１カメラコネクタが接続された際には、撮像素子により撮像されるスルー画の画像データを外部機器に連続的に出力する第１の動作モードに設定し、前記スタンドコネクタに第２カメラコネクタが接続された際には、着脱自在に内蔵する電子記憶媒体を外部機器のストレージとして認識されるようにする第２の動作モードに設定することを特徴とする請求項１記載のデジタルカメラシステム。
【請求項３】
撮像素子により光学像を電気信号に変換し、着脱自在に内蔵した電子記憶媒体に画像データを記憶するデジタルカメラと、このデジタルカメラを載置して外部機器との接続を仲介するカメラスタンドとからなるデジタルカメラシステムにおいて、
前記デジタルカメラは、前記カメラスタンドとの電気的接続に用いられるカメラコネクタと、凹部とを備え、前記カメラスタンドは、前記デジタルカメラが第１の姿勢でも第１の姿勢とは逆向きとなる第２の姿勢でもカメラコネクタと着脱自在に接続されるスタンドコネクタと、前記デジタルカメラが第１の姿勢で載置された際に、前記凹部に可動突部が入り込み、前記デジタルカメラが第２の姿勢で載置された際に、前記デジタルカメラのボディで可動突部が押されるカメラ検出スイッチとを備えていることを特徴とするデジタルカメラシステム。
【請求項４】
前記デジタルカメラは、前記姿勢検出スイッチの可動突部が押されたか否かの信号をカメラスタンドからスタンドコネクタ及びカメラコネクタを介して受け取り、第１の姿勢か第２の姿勢かによって、撮像素子により撮像されるスルー画の画像データを外部機器に連続的に出力する第１の動作モードか、着脱自在に内蔵する電子記憶媒体を外部機器のストレージとして認識されるようにする第２の動作モードかのいずかに設定することを特徴とする請求項３記載のデジタルカメラシステム。
【発明の詳細な説明】
【技術分野】
【０００１】
本発明は、デジタルカメラと、このデジタルカメラを載置するカメラスタンドとからなるデジタルカメラシステムに関するものである。
【背景技術】
【０００２】
デジタルカメラは、クレードルと呼ばれるカメラスタンドに載せることにより、パーソナルコンピュータと簡単にＵＳＢ（Universal Serial Bus）接続されるようにしたものが多く市販されている。ＵＳＢ接続時におけるデジタルカメラの動作モードには、着脱自在に内蔵する電子記憶媒体としてのメモリカードをパーソナルコンピュータのストレージとして認識されるようにするマスストレージモードと、デジタルカメラで撮像されるスルー画の画像データをパーソナルコンピュータの液晶ディスプレイに連続的に出力するＰＣカメラモードの二種類があり、これらを任意に切り換えて使うことができるデジタルカメラが知られている（例えば特許文献１）。
【０００３】
【特許文献１】特開２００３−３０４４２３号公報
【発明の開示】
【発明が解決しようとする課題】
【０００４】
上述したＵＳＢ接続時におけるデジタルカメラの動作モードをマスストレージモードとするか、或いはＰＣカメラモードとするかについては、予めデジタルカメラのメニュー画面で設定しておく必要があり、また途中でモードを切り換えたい場合にも、デジタルカメラのメニュー画面を再び呼び出して設定し直す必要があり、面倒である。
【０００５】
本発明は、面倒なモードの設定操作を行うことなく、二種類の動作モードを簡単に使い分けることができるデジタルカメラシステムを提供することを目的とする。
【課題を解決するための手段】
【０００６】
本発明のデジタルカメラシステムは、撮像素子により光学像を電気信号に変換し、着脱自在に内蔵した電子記憶媒体に画像データを記憶するデジタルカメラと、このデジタルカメラを載置して外部機器との接続を仲介するカメラスタンドとからなるデジタルカメラシステムにおいて、前記カメラスタンドは、前記デジタルカメラとの電気的接続に用いられるスタンドコネクタを備え、前記デジタルカメラは、前記カメラスタンドに対してデジタルカメラを第１の姿勢で載せることによりスタンドコネクタに接続される第１カメラコネクタと、前記カメラスタンドに対してデジタルカメラを第１の姿勢とは逆向きとなる第２の姿勢で載せることによりスタンドコネクタに接続される第２カメラコネクタとを備えていることを特徴とする。
【０００７】
また、前記デジタルカメラは、前記スタンドコネクタに第１カメラコネクタ，第２カメラコネクタのいずれが接続されたのかを検出し、前記スタンドコネクタに第１カメラコネクタが接続された際には、撮像素子により撮像されるスルー画の画像データを外部機器に連続的に出力する第１の動作モードに設定し、前記スタンドコネクタに第２カメラコネクタが接続された際には、着脱自在に内蔵する電子記憶媒体を外部機器のストレージとして認識されるようにする第２の動作モードに設定することを特徴とする。
【０００８】
また、撮像素子により光学像を電気信号に変換し、着脱自在に内蔵した電子記憶媒体に画像データを記憶するデジタルカメラと、このデジタルカメラを載置して外部機器との接続を仲介するカメラスタンドとからなるデジタルカメラシステムにおいて、前記デジタルカメラは、前記カメラスタンドとの電気的接続に用いられるカメラコネクタと、凹部とを備え、前記カメラスタンドは、前記デジタルカメラが第１の姿勢でも第１の姿勢とは逆向きとなる第２の姿勢でもカメラコネクタと着脱自在に接続されるスタンドコネクタと、前記デジタルカメラが第１の姿勢で載置された際に、前記凹部に可動突部が入り込み、前記デジタルカメラが第２の姿勢で載置された際に、前記デジタルカメラのボディで可動突部が押されるカメラ検出スイッチとを備えていることを特徴とする。
【０００９】
また、前記デジタルカメラは、前記姿勢検出スイッチの可動突部が押されたか否かの信号をカメラスタンドからスタンドコネクタ及びカメラコネクタを介して受け取り、第１の姿勢か第２の姿勢かによって、撮像素子により撮像されるスルー画の画像データを外部機器に連続的に出力する第１の動作モードか、着脱自在に内蔵する電子記憶媒体を外部機器のストレージとして認識されるようにする第２の動作モードかのいずかに設定することを特徴とする。
【発明の効果】
【００１０】
本発明のデジタルカメラシステムは、カメラスタンドの１個のスタンドコネクタに対して、第１，第２の２個のカメラコネクタをデジタルカメラに設け、カメラスタンドに載せるデジタルカメラが第１の姿勢である時には、第１カメラコネクタがスタンドコネクタに接続され、デジタルカメラが第２の姿勢である時には、第２カメラコネクタがスタンドコネクタに接続されるようにしたので、カメラスタンドに対するデジタルカメラの第１，第２の姿勢を容易に判別できる。この結果、例えば、デジタルカメラが第１の姿勢である時に第１の動作モード、第２の姿勢である時に第２の動作モードに設定されるように決めておけば、デジタルカメラの姿勢を変更するだけで、面倒なモードの設定操作を行うことなく、第１の動作モードと第２の動作モードとを自動的に切り換えることができる。
【００１１】
また、カメラコネクタと凹部とをデジタルカメラに設けるとともに、第１，第２のいずれの姿勢でもカメラコネクタに接続されるスタンドコネクタと、デジタルカメラが第１の姿勢で載置された際に凹部に可動突部が入り込み、デジタルカメラが第２の姿勢で載置された際にデジタルカメラのボディで可動突部が押されるカメラ検出スイッチとをカメラスタンドに設けたので、カメラ検出スイッチのオン／オフによって、カメラスタンドに対するデジタルカメラの第１，第２の姿勢を容易に判別できる。この結果、例えば、デジタルカメラが第１の姿勢である時に第１の動作モード、第２の姿勢である時に第２の動作モードに設定されるように決めておけば、デジタルカメラの姿勢を変更するだけで、面倒なモードの設定操作を行うことなく、第１の動作モードと第２の動作モードとを自動的に切り換えることができる。
【発明を実施するための最良の形態】
【００１２】
本発明の第１実施形態を示す図１において、デジタルカメラシステム１０は、デジタルカメラ１１と、デジタルカメラ１１を載せることにより、外部機器、例えばパーソナルコンピュータ（以下パソコンという）１２やネットワーク（実際にはＡＤＳＬモデムなど）等との接続を仲介する一般にクレードルと呼ばれるカメラスタンド（以下クレードルという）１３とからなる。
【００１３】
デジタルカメラ１１の前面には、撮影レンズ１５とストロボ発光部１６が設けられ、上部には、シャッタボタン１７が設けられている（図１（Ａ））。デジタルカメラ１１の背面には、ビューファインダ等として機能する液晶ディスプレイ１８，ズーミングボタン１９，動作モードを選択するモード選択ボタン２０，選択項目の確定や動作の実行を指示する実行ボタン２１，指示の取消しや１つ前の画面に戻るときに使用するキャンセルボタン２２及び電源ボタン２３が設けられている（図１（Ｂ））。なお、ズーミングボタン１９は、モード選択ボタン２０を押した際に液晶ディスプレイ１８に表示されるメニュー画面でモード設定を行う時のカーソル移動ボタンとしても機能する。
【００１４】
また、デジタルカメラ１１の側部には、電子記憶媒体してのメモリカード２４が着脱自在にセットされるカードスロット（図示せず）が設けられている。メモリカード２４としては、周知のメモリカード、例えばｘＤ−ピクチャーカード（商品名）やスマートメディア（商品名）等が用いられ、撮像によって得られるデジタルの画像データが記憶される。
【００１５】
デジタルカメラ１１の底部には、クレードル１３との電気的接続に用いられる第１，第２カメラコネクタとしての２個のＵＳＢコネクタ２５，２６が、デジタルカメラ１１の前面から見て左右対称の位置に設けられている。クレードル１３の凹部１３ａの底面には、ＵＳＢコネクタ２５，２６と接続されるスタンドコネクタとしての１個のＵＳＢコネクタ３０が設けられている。また、クレードル１３の前面には、デジタルカメラ１１の電源をオンにする電源スイッチ３２が設けられている。
【００１６】
図１（Ａ）に示すように、撮影レンズ１５をユーザ側に向けたまま、デジタルカメラ１１をクレードル１３の凹部１３ａに差し込むように載せると、デジタルカメラ１１のＵＳＢコネクタ２５がクレードル１３のＵＳＢコネクタ３０に接続される。また、図１（Ｂ）に示すように、デジタルカメラ１１を反対向きに引っ繰り返して、すなわち液晶ディスプレイ１８をユーザ側に向けた状態で、デジタルカメラ１１をクレードル１３の凹部１３ａに差し込むように載せると、デジタルカメラ１１のＵＳＢコネクタ２６がクレードル１３のＵＳＢコネクタ３０に接続される。
【００１７】
デジタルカメラ１１は、クレードル１３のＵＳＢコネクタ３０に、ＵＳＢコネクタ２５が接続されたかＵＳＢコネクタ２６が接続されたかを検出する。そして、ＵＳＢコネクタ３０にＵＳＢコネクタ２５が接続された時には、ビデオ会議などに利用できるように撮影中の映像信号をリアルタイムで送出するＰＣカメラとして機能する第１の動作モードであるＰＣカメラモードにデジタルカメラ１１が自動設定され、またＵＳＢコネクタ３０にＵＳＢコネクタ２６が接続された時には、デジタルカメラ１１のメモリカード２４がパソコン１２の外部記憶装置として認識される第２の動作モードであるマスストレージモードにデジタルカメラ１１が自動設定される。
【００１８】
デジタルカメラシステム１０の電気的な構成を示す図２において、デジタルカメラ１１に内蔵されているＣＰＵ４０は、シャッタボタン１７，ズーミングボタン１９，モード選択ボタン２０，実行ボタン２１，キャンセルボタン２２及び電源ボタン２３を含む操作部４２から入力される各操作信号に基づき、デジタルカメラ１１の各部を統括的に制御する。
【００１９】
ＣＰＵ４０にバス４５を介して接続されるＲＯＭ４７には、ＣＰＵ４０が実行するプログラム及び制御に必要な各種データ等が格納されている。ＲＡＭ４８は、ＣＰＵ４０の作業用領域として利用されるとともに、画像データの一時記憶領域として利用される。なお、ＲＯＭ４７は、ＥＥＰＲＯＭやフラッシュメモリのように書き換え可能なものでもよい。
【００２０】
デジタルカメラ１１がクレードル１３から分離された状態で、ユーザが電源ボタン２３を押すと、ＣＰＵ４０はこれを検出し、カメラ内電源をオンにする。デジタルカメラ１１を単独で用いる場合のデフォルトでは、撮影モードが選択されており、パソコン１２とＵＳＢ接続されていないことをＣＰＵ４０が検出すると、ＣＰＵ４０はＣＣＤドライバ５１を介してＣＣＤ５３を駆動し、撮影レンズ１５を介してＣＣＤ５３の受光面に結像された被写体の光学像は、ＣＣＤ５３によって光電変換される。
【００２１】
ＣＣＤ５３から出力された信号はアナログ処理部５５に送られ、相関二重サンプリング（ＣＤＳ）処理、色分離、ゲイン調整などの所要の処理が行われた後、Ａ／Ｄ変換器５７によってデジタル信号に変換され、デジタル信号処理部５９に送られる。
【００２２】
タイミングジェネレータ（ＴＧ）６１は、ＣＰＵ４０の指令に従い、ＣＣＤドライバ５１、アナログ処理部５５及びＡ／Ｄ変換器５７に対して同期駆動用のタイミング信号を与えており、このタイミング信号によって各回路の同期がとられている。
【００２３】
デジタル信号処理部５９は、輝度・色差信号生成回路、ガンマ補正回路、輪郭補正回路、ホワイトバランス補正回路等を含む画像処理手段として機能する。Ａ／Ｄ変換器５７からデジタル信号処理部５９に送られた画像データは、輝度信号（Ｙ信号）及び色差信号（Ｃr,Ｃb 信号）に変換されるとともに、ガンマ補正等の所定の処理が施された後、ＲＡＭ４８に記憶される。
【００２４】
撮影画像をモニタ出力（スルー画表示）する場合、ＣＣＤ５３から出力される画像信号によってＲＡＭ４８内の画像データが定期的、例えば１／３０秒毎に書き換えられる。この画像データが読み出され、バス４５を介して表示回路６３へ送られる。表示回路６３は、入力された画像データを表示用の所定方式の信号（例えば、ＮＴＳＣ方式のカラー複合映像信号）に変換して液晶ディスプレイ１８に出力する。これにより、撮像中の画像（スルー画）が液晶ディスプレイ１８にリアルタイムに表示される。
【００２５】
シャッタボタン１７の全押しをＣＰＵ４０が検知すると、記録用の画像を取り込むためのＣＣＤ露光及び読出制御を開始する。また、ＣＰＵ４０はストロボ回路６５にコマンドを送り、ストロボ発光部１６の発光を制御する。取り込まれた画像データは、デジタル信号処理部５９においてＹＣ処理その他の所定の信号処理を経た後、圧縮伸張部６７において所定の圧縮フォーマット（例えば、JPEG方式) に従って圧縮される。圧縮された画像データは、カードインターフェース部（Ｉ／Ｆ）６８を介してメモリカード２４に記録される。圧縮形式はJPEGに限定されず、MPEGその他の方式を採用してもよい。
【００２６】
また、モード選択ボタン２０によって再生モードが選択され、かつパソコン１２とＵＳＢ接続されていない場合には、メモリカード２４に最後に記録された画像ファイルの圧縮データが読み出される。この画像ファイルの圧縮データは、圧縮伸張部６７を介して非圧縮のＹＣ信号に伸張され、デジタル信号処理部５９及び表示回路６３を介して表示用の信号に変換された後、液晶ディスプレイ１８に出力される。これにより、当該ファイルの画像内容が液晶ディスプレイ１８上に表示される。
【００２７】
一コマ再生中に、ズーミングボタン１９の右キー又は左キーを操作することによって、再生対象のファイルを切り換えること（順コマ送り／逆コマ送り）ができる。コマ送りされたコマ位置の画像ファイルがメモリカード２４から読み出され、上記と同様にして静止画像や動画が液晶ディスプレイ１８に再生される。
【００２８】
デジタルカメラ１１は、パソコン１２との間でデータの送受信を行うＵＳＢコントローラ５４と、上述した２個のＵＳＢコネクタ２５，２６とを備えている。撮影モードと再生モードについてはモード選択ボタン２０の操作に応じて設定されるが、マスストレージモードとＰＣカメラモードについては、デジタルカメラ１１をクレードル１３に載せることにより撮影／再生モードに優先して設定される。
【００２９】
クレードル１３のＵＳＢコネクタ３０には、前記電源スイッチ３２の他に、パソコン１２とＵＳＢ接続するためのＵＳＢコネクタ７１が接続されている。このＵＳＢコネクタ７１はクレードル１３の側部に露呈している。なお、図示していないが、デジタルカメラ１１に内蔵した二次電池を充電するには、クレードル１３にＡＣパワーアダプターを接続する。
【００３０】
このように構成された第１実施形態の作用について、図３に示すフローチャートを参照して説明する。クレードル１３は、電源スイッチ３２がユーザ側に向かうように机上に置かれ、パソコン１２に接続されている。撮影レンズ１５をユーザ側に向けた状態でデジタルカメラ１１をクレードル１３の凹部１３ａに差し込むと、ＵＳＢコネクタ２５がクレードル１３のＵＳＢコネクタ３０に接続される。
【００３１】
デジタルカメラ１１の電源がオフになっている時には、クレードル１３の電源スイッチ３２を押圧して、デジタルカメラ１１の電源をオンにする。デジタルカメラ１１の駆動電源は、デジタルカメラ１１をクレードル１３に載せた状態では、ＵＳＢケーブルを通してパソコン１２から供給される。
【００３２】
デジタルカメラ１１の電源がオンになる（ｓｔ１）と、ＣＰＵ４０は、ＵＳＢコネクタ２５，２６のうちいずれがＵＳＢコネクタ３０に接続されているかを検出する（ｓｔ２）。上述のようにＵＳＢコネクタ２５がＵＳＢコネクタ３０に接続されているから、これを検出したＣＰＵ４０は、ＰＣカメラモードにモード設定する（ｓｔ３）。デジタルカメラ１１がＰＣカメラモードにモード設定されると、液晶ディスプレイ１８の電源がオフされる（ｓｔ４）。この液晶ディスプレイ１８の電源がオフにされることにより、無駄な電力消費が防止できる。
【００３３】
ＲＡＭ４８から一定間隔でスルー画の画像データが読み出され、バス４５，ＵＳＢコントローラ５４，ＵＳＢコネクタ２５，３０，７１及びＵＳＢケーブル３８を通してパソコン１２に送られる。パソコン１２は、デジタルカメラ１１から受け取ったスルー画を自身のディスプレイ（図示せず）に連続表示するか、又はネットワークを介して別のパソコンのディスプレイに連続表示する。これにより、テレビ会議システムやセキュリティシステムなどを簡単に構築できる。
【００３４】
また、液晶ディスプレイ１８をユーザ側に向けた状態でデジタルカメラ１１をクレードル１３の凹部１３ａに差し込むと、ＵＳＢコネクタ２６がクレードル１３のＵＳＢコネクタ３０に接続される。デジタルカメラ１１の電源がオンにされると、ＣＰＵ４０は、ＵＳＢコネクタ２６がＵＳＢコネクタ３０に接続されているのを検出し（ｓｔ２）、マスストレージモードにモード設定する（ｓｔ５）。
【００３５】
マスストレージモードにモード設定されたデジタルカメラ１１のメモリカード２４は、パソコン１２側からは１つのローカルディスクとして認識され、パソコン１２のディスプレイにその内容が表示される。これにより、ユーザはパソコン１２を操作して、所望の画像データをパソコン１２のハードディスクにコピーしたり、不要な画像データを削除する等を自由に行うことができる。
【００３６】
このように、デジタルカメラ１１をクレードル１３に載せる向きを選択するだけで、ＰＣカメラモード，マスストレージモードから任意のモードをデジタルカメラ１１に設定できる。
【００３７】
次に、本発明の第２実施形態を示す図４において、デジタルカメラシステム８０は、デジタルカメラ８１とクレードル８２とからなる。このクレードル８２は、下方に設けられた電源スイッチ３２が、手前（ユーザ側）に向くように設置されている。なお、本第２実施形態の第１実施形態と同じ部分には、同じ符号を付し、説明を省略する。
【００３８】
デジタルカメラ８１の底部には、クレードル８２との電気的接続に用いられる１個のコネクタ８５が、デジタルカメラ８１の前面から見て左右方向の中心に設けられている。また、撮影レンズ１５の下方には、三脚取付用ネジ穴８６が設けられている。一方、クレードル８２の凹部８２ａには、前記コネクタ８５と接続されるコネクタ８８と、カメラ向き検出スイッチ８９の可動部８９ａとが突出して設けられている。
【００３９】
前記カメラ向き検出スイッチ８９の可動部８９ａは、撮影レンズ１５を手前（ユーザ側）に向けてデジタルカメラ８１をクレードル８２の凹部８２ａに差し込むように載せた時に、前記三脚取付用ネジ穴８６の中に入り込んで押されない位置に設けられている（Ａ）。したがって、デジタルカメラ８１を逆向きにして（液晶ディスプレイ１８が手前になるようにして）クレードル８２に載せた時には、前記可動部８９ａがデジタルカメラ８１の底面に押され、カメラ向き検出スイッチ８９がオンになる（Ｂ）。なお、デジタルカメラ８１がいずれの向きでも、コネクタ８５とコネクタ８８とは、電気的に全く同じに接続される仕様にされている。
【００４０】
カメラ向き検出スイッチ８９のオン／オフは、コネクタ８５，８８を介してデジタルカメラ８１に伝達される。そして、カメラ向き検出スイッチ８９がオフの時には（Ａ）、デジタルカメラ８１がＰＣカメラモードに自動設定される。また、カメラ向き検出スイッチ８９がオンの時には（Ｂ）、デジタルカメラ８１がマスストレージモードに自動設定される。このように、デジタルカメラ８１をクレードル８２に載せる向きを選択するだけで、ＰＣカメラモード，マスストレージモードから任意のモードをデジタルカメラ８１に設定できる。
【００４１】
なお、カメラ向き検出スイッチの可動部が入る形状の凹部であれば、本発明は三脚取付用ネジ穴に限定されない。また、カメラ向き検出スイッチを省略し、デジタルカメラのコネクタとクレードルのコネクタとの接続状態を検出するようにしてもよい。この場合、デジタルカメラのコネクタ（カメラコネクタ）とクレードルのコネクタ（スタンドコネクタ）とは、差し込む向きによって、その違いが判別できるように、例えば、本来の信号用の接続端子とは別に、カメラコネクタの両端にカメラの向きを判別するための判別用接続端子を設け、これらの判別用接続端子に対応するスタンドコネクタの両端のうち、一方の端にグランド端子を設け、他方の端にオープン端子を設ける。すなわち、２本の判別用接続端子のうち、どちら側がグランドになったかで、カメラの向きを判別できる。
【００４２】
以上説明した実施形態では、クレードルの機能として一般的となっている充電機能（デジタルカメラに装着されているリチウムイオン電池やニッケル水素電池等の二次電池を充電する）を省いたが、この充電機能をクレードルに設けてもよい。この場合、クレードルに充電電流を切り換える手段を設け、ＰＣカメラモード時は表示装置の照明装置の電源をオフにすることにより、無駄な消費電力を防止し、この余剰電力で二次電池の充電を高速に行うことができる。
【００４３】
また、マスストレージモードにおいて、デジタルカメラのメモリカードから画像を選択する際に、デジタルカメラの液晶ディスプレイにメモリカードの各画像をサムネイル表示するとともに、クレードルに接続されたパソコンのモニタ（液晶ディスプレイ又はＣＲＴ）にメモリカードの各画像のうち選択された１コマの画像を大きく表示するというマルチ画面表示を採用すると、メモリカード内に記憶されている全体的な画像の把握と、１コマ毎の細部の確認とを同時に行うことができ、画像の選択作業が容易になる。
【００４４】
また、上記実施形態では、クレードルに接続する外部機器としてパソコンを用いたが、本発明はこれに限定されることなく、例えば、ＡＤＳＬモデムやネットワークのハブであってもよい。クレードルにＡＤＳＬモデムを接続する場合、デジタルカメラはインターネットに接続され、ＰＣカメラモードでは、ユーザは携帯電話等の端末を用いてインターネットにアクセスすることにより、外出先から自宅内を監視する等を行うことができる。また、マスストレージモードでは、ユーザは携帯電話等から撮影済みの画像を見たり、携帯電話の待ち受け画面用にダウンロードすることもできる。なお、マスストレージモードでは、例えば、画像データファイルにロックキーを設け、これを解除するパスワードを設定するなど、セキュリティ上の工夫を施す必要がある。
【００４５】
また、上記実施形態では、二種類の動作モードとしてＰＣカメラモードとマスストレージモードを挙げたが、本発明はこれに限定されることなく、例えば、前記マスストレージモードの代わりに、ＴＶモニタ等の外部表示装置へ画像信号を出力する画像表示モードとしてもよい。
【図面の簡単な説明】
【００４６】
【図１】本発明の第１実施形態の構成を示す説明図である。
【図２】デジタルカメラとクレードルの電気的な構成を示すブロック図である。
【図３】デジタルカメラシステムのシーケンスを示すフローチャートである。
【図４】第２実施形態の構成を示す説明図である。
【符号の説明】
【００４７】
１０，８０  デジタルカメラシステム
１１，８１  デジタルカメラ
１２  パソコン
１３，８２  クレードル
１８  液晶ディスプレイ
２４  メモリカード
２５，２６，３０  ＵＳＢコネクタ
４０  ＣＰＵ
８５，８８  コネクタ
８６  三脚取付用ネジ穴
８９  カメラ向き検出スイッチ
【図１】
2005229538.tif 000003
【図２】
2005229538.tif 000004
【図３】
2005229538.tif 000005
【図４】
2005229538.tif 000006